(57)【要約】【課題】障害情報が多発する兆候を検知し、実際に障害情報が多発する前にポーリング間隔を短く設定でき、障害情報が多発する恐れが低下した場合にはポーリング間隔を長く設定できるようにした無線通信システムにおける監視制御方式を提供する。【解決手段】監視マネージャ装置１と複数のマイクロ波無線装置２、３とがポーリングセレクティブ方式により接続された無線通信システムにおいて、マイクロ波無線装置２、３は、自装置２、３の受信入力電界強度を測定する測定器２２を備え、監視マネージャ装置１からのポーリング信号の受信時、自装置２、３の障害情報および測定器２２で測定された受信入力電界強度を含む応答信号を監視マネージャ装置１へ送信する。監視マネージャ装置１は、受信した応答信号に含まれる受信入力電界強度に基づいてポーリング間隔を変更する。【選択図】図４
2008187343.tif 000002
【特許請求の範囲】
【請求項１】
監視マネージャ装置と複数の無線装置とがポーリングセレクティブ方式により接続された無線通信システムにおいて、前記無線装置は、自装置の受信入力電界強度を測定する測定器を備え、前記監視マネージャ装置からのポーリング信号の受信時、自装置の障害情報および前記測定器で測定された受信入力電界強度を含む応答信号を前記監視マネージャ装置へ送信し、前記監視マネージャ装置は、受信した応答信号に含まれる受信入力電界強度に基づいてポーリング間隔を変更することを特徴とする無線通信システムにおける監視制御方式。
【請求項２】
前記無線装置は、自装置における障害の有無を監視して前記障害情報を生成する監視部を備え、該監視部は前記測定器で測定された受信入力電界強度が予め設定された第１の閾値以下に低下したことを示す受信電界レベル警報を含む前記障害情報を生成することを特徴とする請求項１記載の無線通信システムにおける監視制御方式。
【請求項３】
前記無線装置は、前記応答信号を生成する応答部を備え、該応答部は、前記監視マネージャ装置からのポーリング信号の受信時に、前記測定器で測定された受信入力電界強度および前記監視部で生成された前記障害情報を含む応答フレームを生成して前記マネージャ装置へ送信することを特徴とする請求項２記載の無線通信システムにおける監視制御方式。
【請求項４】
前記監視マネージャ装置は、各無線装置のポーリング間隔を記憶するポーリング間隔記憶部と、或る無線装置から受信した応答信号に含まれる受信入力電界強度を前記第１の閾値より大きな第２の閾値と比較し、その比較結果に応じて前記ポーリング間隔記憶部に記憶された当該無線装置のポーリング間隔を変更するポーリング間隔変更部と、前記ポーリング間隔記憶部に記憶されたポーリング間隔で各無線装置に対してポーリング信号を送信する要求部とを備えることを特徴とする請求項２記載の無線通信システムにおける監視制御方式。
【請求項５】
監視マネージャ装置と複数の無線装置とがポーリングセレクティブ方式により接続された無線通信システムにおける監視制御方法において、前記監視マネージャ装置が、ポーリング間隔記憶部に設定されたポーリング間隔に従って前記無線装置に対してポーリング信号を送信する第１のステップと、前記監視マネージャ装置からのポーリング信号を受信した前記無線装置が、自装置の受信入力電界強度および自装置の障害情報を含む応答信号を前記監視マネージャ装置へ送信する第２のステップと、前記監視マネージャ装置が、前記無線装置から受信した応答信号に含まれる受信入力電界強度を閾値と比較し、その比較結果に基づいて前記ポーリング間隔記憶部に記憶された当該無線装置のポーリング間隔を変更する第３のステップとを含むことを特徴とする無線通信システムにおける監視制御方法。
【請求項６】
各無線装置のポーリング間隔を記憶するポーリング間隔記憶部と、該ポーリング間隔記憶部に記憶されたポーリング間隔で各無線装置に対してポーリング信号を送信し、その応答信号を受信する要求部と、或る無線装置から受信した応答信号に含まれる受信入力電界強度を閾値と比較し、その比較結果に応じて前記ポーリング間隔記憶部に記憶された当該無線装置のポーリング間隔を変更するポーリング間隔変更部とを備えた監視マネージャ装置。
【請求項７】
受信入力電界強度を測定する測定器と、該測定器で測定された受信入力電界強度が予め設定された閾値以下に低下したことを示す受信電界レベル警報およびその他の警報を含む障害情報を生成する監視部と、監視マネージャ装置からのポーリング信号の受信時に、前記測定器で測定された受信入力電界強度および前記監視部で生成された前記障害情報を含む応答フレームを生成して前記マネージャ装置へ送信する応答部とを備える無線装置。
【請求項８】
各無線装置のポーリング間隔を記憶するポーリング間隔記憶部を有する監視マネージャ装置を構成するコンピュータを、前記ポーリング間隔記憶部に記憶されたポーリング間隔で各無線装置に対してポーリング信号を送信し、その応答信号を受信する要求部と、或る無線装置から受信した応答信号に含まれる受信入力電界強度を閾値と比較し、その比較結果に応じて前記ポーリング間隔記憶部に記憶された当該無線装置のポーリング間隔を変更するポーリング間隔変更部として機能させるためのプログラム。
【請求項９】
受信入力電界強度を測定する測定器を有する無線装置を構成するコンピュータを、前記測定器で測定された受信入力電界強度が予め設定された閾値以下に低下したことを示す受信電界レベル警報およびその他の警報を含む障害情報を生成する監視部と、監視マネージャ装置からのポーリング信号の受信時に、前記測定器で測定された受信入力電界強度および前記監視部で生成された前記障害情報を含む応答フレームを生成して前記マネージャ装置へ送信する応答部として機能させるためのプログラム。
【発明の詳細な説明】
【技術分野】
【０００１】
本発明は無線通信システムにおける監視制御方式に関し、特に監視マネージャ装置と複数のマイクロ波無線装置とがポーリングセレクティブ方式により接続されたマイクロ波無線通信システムにおける監視制御方式に関する。
【背景技術】
【０００２】
マイクロ波無線通信システムにおいては、システムの運用状態を適正に保つために、各マイクロ波無線装置の動作状況の監視を行っている。具体的には、監視マネージャ装置が、各マイクロ波無線装置の障害情報をポーリングセレクティブ方式により収集している（例えば特許文献１参照）。
【０００３】
ポーリングセレクティブ方式は、複数のマイクロ波無線装置から情報を収集するタイミングを監視マネージャ装置で管理するため、共通の制御線を利用して複数のマイクロ波無線装置から情報を競合せずに収集できる利点がある。しかし、ポーリング信号を受信しない限り各マイクロ波無線装置は自装置から障害情報を送信できないため、ポーリング間隔が長い場合には、障害情報の取りこぼしが発生する。他方、ポーリング間隔を短く設定すると、障害情報の取りこぼしは無くなるが、無駄なトラフィックが増大する。このため、ポーリング間隔を固定する場合、これらの事情を勘案してポーリング間隔を決定する必要がある。
【０００４】
他方、ポーリング間隔を固定せずに可変にする技術の一例が特許文献２に記載されている。この特許文献２では、子局は親局からポーリングがなされると、送信データと共に残データ量の情報を親局に送信し、親局は、受信した残データ量の情報に基づいて、残データ量が大量の場合にはポーリング間隔を短く変更し、残データ量が少量の場合にはポーリング間隔を長く変更する。
【０００５】
【特許文献１】特開２００３−１２４９４６号公報
【特許文献２】特開２００２−１７１２６２号公報
【発明の開示】
【発明が解決しようとする課題】
【０００６】
上述したようにポーリングセレクティブ方式は、ポーリング間隔を長くすると障害情報の取りこぼしが発生し易くなり、逆にポーリング間隔を短く設定すると、無駄なトラフィックが増大する。
【０００７】
他方、残データ量が多い場合にポーリング間隔を短くし、逆に残データ量が少ない場合にポーリング間隔を長くする特許文献２に記載の技術によれば、無駄なトラフィックを抑えながら情報の収集が可能になる。しかし、残データ量が多くならなければポーリング間隔は短くならないため、障害情報が多発した場合、残データ量が未だ多くなっていない初期の時点における障害情報の取りこぼしが発生する。ここで、障害情報の取りこぼしは、或る障害が発生したが、次回のポーリング時までにその障害が一時的に復旧した場合に起こる。
【０００８】
本発明の目的は、監視マネージャ装置と複数の無線装置とがポーリングセレクティブ方式により接続された無線通信システムにおいて、ポーリング間隔を適切に設定し得るようにすることにある。
【０００９】
本発明の別の目的は、障害情報が多発する兆候を検知し、実際に障害情報が多発する前にポーリング間隔を短く設定でき、障害情報が多発する恐れが低下した場合にはポーリング間隔を長く設定できるようにした無線通信システムにおける監視制御方式を提供することにある。
【課題を解決するための手段】
【００１０】
本発明の第１の無線通信システムにおける監視制御方式は、監視マネージャ装置と複数の無線装置とがポーリングセレクティブ方式により接続された無線通信システムにおいて、前記無線装置は、自装置の受信入力電界強度を測定する測定器を備え、前記監視マネージャ装置からのポーリング信号の受信時、自装置の障害情報および前記測定器で測定された受信入力電界強度を含む応答信号を前記監視マネージャ装置へ送信し、前記監視マネージャ装置は、受信した応答信号に含まれる受信入力電界強度に基づいてポーリング間隔を変更することを特徴とする。
【００１１】
本発明の第２の無線通信システムにおける監視制御方式は、第１の無線通信システムにおける監視制御方式において、前記無線装置は、自装置における障害の有無を監視して前記障害情報を生成する監視部を備え、該監視部は前記測定器で測定された受信入力電界強度が予め設定された第１の閾値以下に低下したことを示す受信電界レベル警報を含む前記障害情報を生成することを特徴とする。
【００１２】
本発明の第３の無線通信システムにおける監視制御方式は、第２の無線通信システムにおける監視制御方式において、前記無線装置は、前記応答信号を生成する応答部を備え、該応答部は、前記監視マネージャ装置からのポーリング信号の受信時に、前記測定器で測定された受信入力電界強度および前記監視部で生成された前記障害情報を含む応答フレームを生成して前記マネージャ装置へ送信することを特徴とする。
【００１３】
本発明の第４の無線通信システムにおける監視制御方式は、第２の無線通信システムにおける監視制御方式において、前記監視マネージャ装置は、各無線装置のポーリング間隔を記憶するポーリング間隔記憶部と、或る無線装置から受信した応答信号に含まれる受信入力電界強度を前記第１の閾値より大きな第２の閾値と比較し、その比較結果に応じて前記ポーリング間隔記憶部に記憶された当該無線装置のポーリング間隔を変更するポーリング間隔変更部と、前記ポーリング間隔記憶部に記憶されたポーリング間隔で各無線装置に対してポーリング信号を送信する要求部とを備えることを特徴とする。
【００１４】
本発明の無線通信システムにおける監視制御方法は、監視マネージャ装置と複数の無線装置とがポーリングセレクティブ方式により接続された無線通信システムにおける監視制御方法において、前記監視マネージャ装置が、ポーリング間隔記憶部に設定されたポーリング間隔に従って前記無線装置に対してポーリング信号を送信する第１のステップと、前記監視マネージャ装置からのポーリング信号を受信した前記無線装置が、自装置の受信入力電界強度および自装置の障害情報を含む応答信号を前記監視マネージャ装置へ送信する第２のステップと、前記監視マネージャ装置が、前記無線装置から受信した応答信号に含まれる受信入力電界強度を閾値と比較し、その比較結果に基づいて前記ポーリング間隔記憶部に記憶された当該無線装置のポーリング間隔を変更する第３のステップとを含むことを特徴とする。
【００１５】
本発明の監視マネージャ装置は、各無線装置のポーリング間隔を記憶するポーリング間隔記憶部と、該ポーリング間隔記憶部に記憶されたポーリング間隔で各無線装置に対してポーリング信号を送信し、その応答信号を受信する要求部と、或る無線装置から受信した応答信号に含まれる受信入力電界強度を閾値と比較し、その比較結果に応じて前記ポーリング間隔記憶部に記憶された当該無線装置のポーリング間隔を変更するポーリング間隔変更部とを備えたことを特徴とする。
【００１６】
本発明の無線装置は、受信入力電界強度を測定する測定器と、該測定器で測定された受信入力電界強度が予め設定された閾値以下に低下したことを示す受信電界レベル警報およびその他の警報を含む障害情報を生成する監視部と、監視マネージャ装置からのポーリング信号の受信時に、前記測定器で測定された受信入力電界強度および前記監視部で生成された前記障害情報を含む応答フレームを生成して前記マネージャ装置へ送信する応答部とを備えたことを特徴とする。
【００１７】
『作用』
マイクロ波無線装置等の無線装置にあっては、フェージング等によって受信入力電界強度が低下すればするほど復調に支障を来すために各種の障害が起き易くなる。受信入力電界強度がもはや限界ぎりぎりまで低下したことを示す警報は、障害情報の一種として収集されているが、そのような警報が収集された時点でポーリング間隔を短くしても時は既に遅い。そこで本発明では、その元となる受信入力電界強度を障害情報の有る無しにかかわらず各無線装置のポーリング時に監視マネージャ装置へ送信する。監視マネージャ装置では、受信入力電界強度を或る閾値と比較して、それより小さいときは近い将来に障害情報の多発する可能性が高いためポーリング間隔を短く設定することで、実際に障害情報が多発した場合の取りこぼしを防止する。他方、受信入力電界強度が或る閾値以上まで回復すれば、障害情報の多発する可能性が低下したためポーリング間隔を長く設定することで、無駄なポーリングを防止する。
【発明の効果】
【００１８】
本発明によれば、以下のような効果が奏される。
【００１９】
警報などの障害情報の取りこぼしを防止することができる。その理由は、各無線装置はポーリング信号の受信時に自装置の受信入力電界強度を含む応答信号を監視マネージャ装置へ送信し、監視マネージャ装置は受信した応答信号に含まれる受信入力電界強度が低ければ、近い将来に警報などの障害情報が多発する可能性が高いと判断してポーリング間隔を短く設定するためである。
【００２０】
無駄なポーリングによるトラフィックの増大を防止することができる。その理由は、各無線装置はポーリング信号の受信時に自装置の受信入力電界強度を含む応答信号を監視マネージャ装置へ送信し、監視マネージャ装置は受信した応答信号に含まれる受信入力電界強度が高ければ、近い将来に警報などの障害情報が多発する可能性が低いと判断してポーリング間隔を長く設定するためである。
【００２１】
障害情報として受信電界レベル警報を収集する無線通信システムに本発明を適用する場合、受信入力電界強度を測定する測定器は警報用に既に備わるものを流用できるため、コストを抑えることができる。
【発明を実施するための最良の形態】
【００２２】
図１を参照すると、本発明を適用したマイクロ波無線通信システムの一例は、監視マネージャ装置１と、複数のマイクロ波無線装置２〜５とで構成されている。
【００２３】
監視マネージャ装置１は、マイクロ波無線装置２〜５と通信を行い、警報などの障害情報の収集を行う。マイクロ波無線装置２とマイクロ波無線装置３の間及びマイクロ波無線装置４とマイクロ波無線装置５の間は無線区間であり、監視マネージャ装置１とマイクロ波無線装置２の間及びマイクロ波無線装置３とマイクロ波無線装置４の間は有線により接続されている。
【００２４】
監視マネージャ装置１は、無線搬送波に補助信号として多重化された監視用の通信路を使用し、ポーリングセレクティブ方式により、各マイクロ波無線装置２〜５との通信を行う。監視マネージャー装置１は、マイクロ波無線装置２にポーリング信号を送信して障害情報の要求を行い、要求を受けたマイクロ波無線装置２は検出した障害情報を返す。以降、監視マネージャ装置１は他のマイクロ波無線装置３、４、５に対してもマイクロ波無線装置２と同様にポーリング信号により障害情報の要求を行い、それらマイクロ波無線装置３〜５から障害情報を収集する。このような動作を以降も同様に繰り返す。
【００２５】
監視マネージャ装置１と各マイクロ波無線装置２〜５との間には、図２に模式的に示すように、下り伝送路６ａおよび上り伝送路６ｂが設けられる。監視マネージャ装置１から各マイクロ波無線装置２〜５への要求フレームは下り伝送路６ａを通って伝送され、各マイクロ波無線装置２〜５からの応答フレームは上り伝送路６ｂを通って伝送される。
【００２６】
図３（ａ）に応答フレームの構造を示す。図において、フラグＦはフレームの先頭と終わりを表し、アドレスＡは送信元のマイクロ波無線装置２〜５の通信用のアドレスを表す。データＤには送信元のマイクロ波無線装置２〜５にて検出された警報等の障害情報が埋め込まれ、フレームチェックシーケンスＦＣＳは応答フレームの伝送誤りの検出に使用される。受信入力電界情報ＲＳＬには送信元のマイクロ波無線装置２〜５の受信入力電界の最新の測定値が埋め込まれる。図３（ｂ）に示す従来の応答フレームと比べて、受信入力電界情報ＲＳＬが新たに追加されている点が特徴である。
【００２７】
本実施の形態では、監視マネージャ装置１は受信入力電界情報ＲＳＬの情報を常に参照し、その値があらかじめ設定された値より低い場合には送信元のマイクロ波無線装置２〜５へのポーリング間隔を小さくする。フェージング等により受信入力電界ＲＳＬが低くなる場合には、それに付随して該当するマイクロ波無線装置２〜５において警報の多発が予想されるため、ポーリング間隔を小さくすることにより、警報の取りこぼしを防ぐ。逆に、受信入力電界情報ＲＳＬが設定された値より高い場合には、該当するマイクロ波無線装置２〜５のポーリング間隔を大きくすることにより、無駄なトラフィックの増大を防ぐ。
【実施例】
【００２８】
以下、監視マネージャ装置１およびマイクロ波無線装置２〜５の実施例について図面を参照して詳細に説明する。
【００２９】
図４を参照すると、監視マネージャ装置１は、無線回線の主信号に多重される補助信号である制御線７ａ、７ｂを使用して、ポーリングセレクティブ方式によりマイクロ波無線装置２〜５（マイクロ無線装置４、５は図示せず）から障害情報を収集する。
【００３０】
監視マネージャ装置１は、要求部１１、解析部１２、ポーリング間隔変更部１３およびポーリング間隔記憶部１４を含んで構成される。
【００３１】
ポーリング間隔記憶部１４は、各マイクロ波無線装置２〜５の通信アドレスに対応してそのマイクロ波無線装置２〜５のポーリング間隔の情報を記憶する。
【００３２】
要求部１１は、ポーリング間隔記憶部１４に記憶されたポーリング間隔に従って各マイクロ波無線装置２〜５に対して下りの制御線７ａを使用してポーリング信号を送信し、ポーリング先のマイクロ波無線装置２〜５から上りの制御線７ｂを通じて返される応答フレームを受信し、解析部１２へ伝達する。
【００３３】
解析部１２は、要求部１１から受け取った応答フレームからマイクロ波無線装置の通信アドレスＡと受信入力電界情報ＲＳＬを抽出してポーリング間隔変更部１３へ伝達する。また、応答フレーム中のデータＤに含まれる障害情報の解析を行い、障害の原因が装置によるのか、無線回線によるのか等の分析を行って、分析結果を図示しないモニタ画面に出力する。
【００３４】
ポーリング間隔変更部１３は、解析部１２から受け取った受信入力電界情報ＲＳＬの値を予め設定されたポーリング間隔変更用の閾値Ｓpと比較し、ＲＳＬ≧Ｓpならば、ポーリング間隔記憶部１４に記憶されているポーリング間隔のうち、解析部１２から受け取った通信アドレスに対応するポーリング間隔を、ΔLに変更し、ＲＳＬ＜Ｓpならば、ポーリング間隔記憶部１４に記憶されているポーリング間隔のうち、解析部１２から受け取った通信アドレスに対応するポーリング間隔を、ΔLよりも短いΔHに変更する。
【００３５】
マイクロ波無線装置２は、応答部２１と、電界強度測定器２２と、監視部２３と、切替器２４とを含んで構成される。他のマイクロ波無線装置３〜５も、マイクロ波無線装置２と同様の構成を有する。
【００３６】
電界強度測定器２２は、自マイクロ波無線装置２の受信入力電界の強度を測定し、その測定値を受信入力電界情報ＲＳＬとして応答部２１および監視部２３に伝達する。
【００３７】
監視部２３は、電界強度測定器２２から受信入力電界情報ＲＳＬを入力し、その値を予め設定された警報用閾値ＳKと比較し、ＲＳＬ＜ＳKならば、受信入力電界強度がもはや限界ぎりぎりまで低下したことを示す警報情報を応答部２１へ出力する。監視部２３は、受信入力電界強度以外にも各種の状態を監視しており、例えば復調信号のビットレートが或る閾値以下に低下したことを示す警報情報などを応答部２１に出力している。
【００３８】
応答部２１は、下りの制御線７ａを通じて監視マネージャ装置１からポーリング信号を受信すると、図３（ａ）に示したような応答フレームを生成する。このとき、受信入力電界情報ＲＳＬには電界強度測定器２２から伝達された受信入力電界情報が設定され、データＤには監視部２３から伝達された障害情報が設定される。そして、応答部２１は、切替信号により切替器２４を自装置２側に切り替え、生成した応答フレームを切替器２４を通じて上りの制御線７ｂを使用して監視マネージャ装置１へ送信する。
【００３９】
次に図５のフローチャートを参照して、本実施例の動作を説明する。
【００４０】
監視マネージャ装置１の要求部１１は、ポーリング間隔記憶部１４に記憶されたポーリング間隔を参照して、ポーリング信号の送出タイミングが到来したマイクロ波無線装置を常に検知している（ステップＳ１０１）。今、マイクロ波無線装置２について、前回のポーリング時刻からの経過時間がポーリング間隔記憶部１４に記憶されたポーリング間隔に相当する時間に一致したことにより、ポーリング信号の送出タイミングが到来したと判断されたとすると、要求部１１はマイクロ波無線装置２の通信アドレスを付加したポーリング信号を下りの制御線７ａに送信する（ステップＳ１０２）。
【００４１】
このポーリング信号はマイクロ波無線装置２の応答部２１で受信される（ステップＳ２０１）。応答部２１は、電界強度測定器２２および監視部２３において測定および検出されている受信入力電界の情報ＲＳＬと障害情報のデータＤを含む応答フレームを生成し（ステップＳ２０２）、切替器２４を通じて上りの制御線７ｂを使用して監視マネージャ装置１へ送信する（ステップＳ２０３）。
【００４２】
この応答フレームは監視マネージャ装置１の要求部１１で受信され（ステップＳ１０３）、解析部１２に渡される。解析部１２は、応答フレームを解析し、通信アドレスＡと受信入力電界情報ＲＳＬとをポーリング間隔変更部１３に伝達すると共に、データＤの解析結果を出力する（ステップＳ１０４）。
【００４３】
ポーリング間隔変更部１３は、受信入力電界情報ＲＳＬの値を閾値ＳPと比較して、ポーリング間隔を決定し（ステップＳ１０５）、通信アドレスＡに対応してポーリング間隔記憶部１４に記憶されているポーリング間隔を変更する（ステップＳ１０６）。
【００４４】
監視マネージャ装置１は、１つのマイクロ波無線装置２のポーリングを終えると、ステップＳ１０１に戻り、上述した処理と同様の処理を繰り返す。
【００４５】
図６に、受信入力電界強度と警報数との関係、および閾値ＳK、ＳPの設定例を示す。同図に示すように、マイクロ波無線装置において受信入力電界強度が低下していくと、復調が正しく行えなくなって行くことにより、各種の警報が多発するようになる。警報が多発してからポーリング間隔を短く設定しても、初期の時点の警報を早期に検出することができないため、閾値ＳPは受信入力電界強度がこれ以上下がると警報が多発する可能性が高くなる値付近に設定するのが望ましい。他方、閾値ＳKは、受信入力電界強度がもはや限界ぎりぎりまで低下したことを示す警報のための閾値であるため、ＳPよりも更に小さな値として設定される。
【００４６】
以上本発明の実施の形態について説明したが、本発明は以上の実施の形態にのみ限定されず、その他各種の付加変更が可能である。
【００４７】
例えば、前記実施例では、ポーリング間隔変更用の閾値Ｓpは１つであったが、いわゆる判定のハンチングを防止するために、大小２つの閾値ＳpHとＳpLを使用し、受信入力電界強度ＲＳＬが値の小さい方のＳpLを下回ったときにポーリング間隔を短く変更し、その後、受信入力電界強度ＲＳＬが大きい方のＳpHを上回ったときにポーリング間隔を長く変更するようにしても良い。また、全てのマイクロ波無線装置で同じ閾値Ｓpを使用したが、マイクロ波無線装置毎に異なる閾値Ｓpを使用しても良い。
【００４８】
また、本発明の監視マネージャ装置およびマイクロ波無線装置は、その有する機能をハードウェア的に実現することは勿論、コンピュータとプログラムとで実現することができる。監視マネージャ用のプログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した実施例における要求部１１、解析部１２およびポーリング間隔変更部１３として機能させる。マイクロ波無線装置用のプログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した実施例における応答部２１、監視部２３として機能させる。
【図面の簡単な説明】
【００４９】
【図１】本発明を適用したマイクロ波無線通信システムの一例のブロック図である。
【図２】監視マネージャ装置と各マイクロ波無線装置との論理的な接続状況を示す図である。
【図３】マイクロ波無線装置から監視マネージャ装置へ送信される本発明の応答フレームと従来の応答フレームの構造を示す図である。
【図４】本発明の監視マネージャ装置およびマイクロ波無線装置の実施例のブロック図である。
【図５】本発明の実施例の動作を示すフローチャートである。
【図６】受信入力電界強度と警報数との関係、および閾値ＳK、ＳPの設定例を示す図である。
【符号の説明】
【００５０】
１…監視マネージャ装置
１１…要求部
１２…解析部
１３…ポーリング間隔変更部
１４…ポーリング間隔記憶部
２〜５…マイクロ波無線装置
２１…応答部
２２…電界強度測定器
２３…監視部
２４…切替器
６ａ…下り伝送路
６ｂ…上り伝送路
７ａ…下り制御線
７ｂ…上り制御線
【図１】
2008187343.tif 000003
【図２】
2008187343.tif 000004
【図３】
2008187343.tif 000005
【図４】
2008187343.tif 000006
【図５】
2008187343.tif 000007
【図６】
2008187343.tif 000008